(57)【要約】【課題】各種電気機器に使用されるカード接続用スロットにおいて、異なる複数の規格のカードを接続することを目的とする。【解決手段】アダプターシステム１において、第１の規格に従ったカードの制御信号、第２の規格に従ったカードの制御信号を共にカードスロット８に接続し、第１の規格に従うカードスロット１に、第１の規格に従うカード４と第２の規格に従うカード３の接続用カードスロットを装備したカード接続用アダプター２を接続することによって、第１の規格に従ったカード４、第２の規格に従ったカード３の双方に対し選択的に接続し制御することが可能である。【選択図】  図１
2004310253.tif 000002
【特許請求の範囲】
【請求項１】
所定の第１の規格に従うカードスロットに、第１の規格とは異なる第２の規格に従うカードを接続するために用いられるカード接続用アダプターであって、第１の規格に従う第１接続部と、第２の規格に従う第２接続部を有し、第１接続部のスロットにおいて未使用となっているピンを第２接続部に接続することにより、第２の規格に従うカードを接続することを実現するカード接続用アダプター。
【請求項２】
所定の第１の規格に従うカードスロットに、第１の規格とは異なる第２の規格に従うカードを接続するために用いられるカード接続用アダプターであって、第１の規格に従う第１接続部と、第２の規格に従う第２接続部に加え、第１の規格に従う第３接続部を有し、第１接続部のスロットにおいて未使用となっているピンを第２接続部に接続することにより、同時に第２の規格、第１の規格の双方に従うカードを接続することを実現するカード接続用アダプター。
【請求項３】
所定の第１の規格に従うカードスロットの未使用となっているピンに、第１の規格とは異なる第２の規格に従う信号線を接続することにより、請求項１、又は２記載のカード接続用アダプターの使用を実現するカードアダプターシステム。
【請求項４】
所定の第１の規格に従うカードスロットに、第１の規格とは異なる第２の規格に従うカードを接続するために用いられるカード接続用アダプターであって、第１の規格に従う第１接続部と第２の規格に従う第２接続部を有し、接続される電子機器側において、第１接続部に供給する信号を第１の規格に従った信号から第２の規格に従った信号に切り換えることにより、第１の規格に従うカードスロットに第２の規格に従うカードを接続することを実現する、カード接続用アダプター。
【請求項５】
所定の第１の規格に従うカードスロットに、第１の規格とは異なる第２の規格に従うカードを接続するために用いられるカード接続用アダプターであって、第１の規格に従う第１接続部と、第２の規格に従う第２接続部に加え、第１の規格に従う第３接続部を有し、接続される電子機器側において第１接続部に供給する信号を、第１の規格に従った信号から第２の規格に従った信号に切り換えることにより、第１の規格に従うカードスロットに第２の規格に従うカードを接続するとともに、第１の規格に従うカードをも接続することを実現するカード接続用アダプター。
【請求項６】
所定の第１の規格に従うカードスロットに接続されるカードスロットを切り替えるスイッチを有していることを特徴としている請求項５記載のカード接続用アダプター。
【請求項７】
所定の第１の規格に従うカードスロットに接続されるカードスロットを切り換えるスイッチを、接続される電子機器側で制御することを特徴としている請求項７記載のカード接続用アダプター。
【請求項８】
所定の第１の規格に従うカードスロットに、第１の規格に従った信号線と、第１の規格とは異なる第２の規格に従う信号線を、切り換えて接続することにより、請求項４，５，又は６記載のカード接続用アダプターの使用を実現するカードアダプターシステム。
【請求項９】
所定の第１の規格に従うカードスロットに、第１の規格に従った信号線と第１の規格とは異なる第２の規格に従う信号線を切り換えて接続するとともに、接続されるカードを切り換えるスイッチ制御信号を接続することにより、請求項７のカード接続用アダプターの使用を実現するカードアダプターシステム。
【請求項１０】
第１の規格、第２の規格の中には、ＩＣカードが包含されることを特徴とする、請求項１，２，４，５，６又は７記載のカード接続用アダプター。
【請求項１１】
第１の規格、第２の規格の中には、ＩＣカードが包含されることを特徴とする、請求項３，８，又は９記載のカード接続用アダプターシステム。
【請求項１２】
請求項３，８，９，又は１１記載のカードアダプターシステムを搭載し、請求項１，２，４，５，６，７，又は１０記載のカード接続用アダプターに接続することにより、電子機器のソフトウェアおよびデータ等を更新することを実現するソフトウェアアップデートシステム。
【発明の詳細な説明】
【０００１】
【発明の属する技術分野】
この発明は、パーソナルコンピューターなどの情報機器や、デジタル放送用セットトップボックスやデジタル放送用テレビなどを代表とするデジタル情報家電機器と、メモリーカードなどのＩＣカードとの間を中継して接続するカード接続用アダプターとカード接続用アダプターシステムに関するものである。
【０００２】
【従来の技術】
近年のノート型パソコン（パーソナルコンピューター）には、通常ＰＣカードスロットが備えられており、このＰＣカードスロットにＰＣカードを装着することにより、様々な機能拡張を図ることができる。
【０００３】
ＰＣカードの規格は、ＪＥＩＤＡ（社団法人日本電子工業振興協会）及びＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）により定められている。
【０００４】
また、規格化されたＩＣカードには様々な種類のものがあり、ＰＣカードにそのままでは接続することができない。そこで、ＩＣカードをＰＣカードスロットに接続するためのカード接続用アダプターは従来より提供されている。
【０００５】
例えば、ＰＣカード  ＴｙｐｅＩＩの規格の場合、接続部は通常６８本のピンを用いて接続されることになる。
【０００６】
カード接続用アダプターの中には、一つのコネクタシステムに対し複数のカードの接続が可能なカード接続用アダプターも提案されている（例えば、特許文献１参照。）。
【０００７】
このシステムでは、アダプターに複数種類のカードスロットを装備し、アダプター上にて複数のカードスロットへの接続を実現しており、アダプターが接続される電子機器側においては、１つの規格に基づいて接続されている。
【０００８】
よって、複数種類のカードに対し、接続を切り替えて制御することが必須となり、複数種類のカードに対し同時に接続し制御することができないという問題がある。
【０００９】
デジタル放送用セットトップボックスなどのデジタル情報家電機器の場合、メモリーカードなどのＩＣカード接続用のスロットが備えられるのが通常となっている。例えば、デジタル放送用セットトップボックスの場合、クレジットカード型の超小型電子回路付きカードにのみ接続することを想定した専用スロットが通常備えられている。
【００１０】
また、セットトップボックス内部のプログラムやデータなどをアップデートするために、ある特定ＩＣカードの規格に従ったカードの専用スロットが備えられているのが通常である。
【００１１】
【特許文献１】
実開平６−２９０６８号公報
【００１２】
【発明が解決しようとする課題】
しかしながら上記の従来の構成では、例えば、デジタル情報家電機器などの場合、カード接続用のスロットを複数種類装備している場合があるが、ＰＣカードスロットを装備するとなると、６８ピンの接続用スロットを装備する必要があり、製造業者にとってコスト面で不都合がある。
【００１３】
また、一つのコネクタシステムに対し、複数のカードの接続が可能なカード接続アダプターの場合、従来の構成では、接続されるカードを切り換えて使用するため、複数のカードに、同時に接続し使用することができなかった。
【００１４】
この発明は上述の事情に着目してなされたものであり、その目的は、
第１に、ピン数の少ないカードスロットにおいても、異なる規格のカードに接続が可能なカード接続用アダプターを提供することである。
【００１５】
第２に、ピン数の少ないカードスロットにおいても、異なる規格のカードに接続が可能なカード接続用アダプターシステムを提供することである。
【００１６】
第３に、ピン数の少ないカードスロットにおいても、異なる複数の規格のカードに接続が可能なカード接続用アダプターを提供することである。
【００１７】
第４に、ピン数の少ないカードスロットにおいても、異なる複数の規格のカードに接続が可能なカード接続用アダプターシステムを提供することである。
【００１８】
第５に、一つのコネクタシステムにおいて、異なる複数の規格のカードに接続する場合、複数のカードに対して同時に接続することを実現するカード接続用アダプターを提供することである。
【００１９】
第６に、一つのコネクタシステムにおいて、異なる複数の規格のカードに接続する場合、複数のカードに対して同時に接続することを実現するカード接続用アダプターシステムを提供することである。
【００２０】
第７に、一つのコネクタシステムに対し複数のカードが接続可能なカード接続用アダプターの場合、接続するカードの切換制御を、接続される電子機器側から行うことができるカード接続用アダプターを提供することである。
【００２１】
第８に、一つのコネクタシステムに対し複数のカードが接続可能なカード接続用アダプターの場合、接続するカードの切換制御を、接続される電子機器側から行うことができるカード接続用アダプターシステムを提供することである。
【００２２】
第９に、前述のカードアダプターとカードアダプターシステムを使用することにより、例えば、デジタル放送用セットトップボックスなどのデジタル家電情報機器において、ソフトウェアアップデート専用のスロットを備え付けることなく、ソフトウェアアップデートを行うシステムを提供することである。
【００２３】
【課題を解決するための手段】
上述したこの発明の目的を達成する為の請求項１記載の発明は、所定の第１の規格に従うカードスロットに、第１の規格とは異なる第２の規格に従うカードを接続するために用いられるカード接続用アダプターであって、第１の規格に従う第１接続部と、第２の規格に従う第２接続部を有し、第１接続部のスロットにおいて未使用となっているピンを第２接続部に接続することにより、第２の規格に従うカードを接続する構成を有している。
【００２４】
この構成によって、ピン数の少ないカードスロットにおいても、異なる規格のカードに接続が可能なカード接続用アダプターを実現することができる。
【００２５】
上述したこの発明の目的を達成する為の請求項２記載の発明は、所定の第１の規格に従うカードスロットに、第１の規格とは異なる第２の規格に従うカードを接続するために用いられるカード接続用アダプターであって、第１の規格に従う第１接続部と、第２の規格に従う第２接続部に加え、第１の規格に従う第３接続部を有し、第１接続部のスロットにおいて未使用となっているピンを第２接続部に接続することにより、同時に第２の規格、第１の規格の双方に従うカードを接続する構成を有している。
【００２６】
この構成によって、ピン数の少ないカードスロットにおいても、異なる複数の規格のカードに接続を実現することができる。
【００２７】
また、一つのコネクタシステムにおいて異なる複数の規格のカードに対して同時に接続することを可能とするカード接続用アダプターを実現することができる。
【００２８】
上述したこの発明の目的を達成する為の請求項３記載の発明は、所定の第１の規格に従うカードスロットの未使用となっているピンに、第１の規格とは異なる第２の規格に従う信号線を接続する構成を有している。
【００２９】
この構成によって、ピン数の少ないカードスロットにおいても、異なる複数の規格のカードへの接続を実現することができる。
【００３０】
また、一つのコネクタシステムにおいて異なる複数の規格のカードに対して同時に接続することを可能とするカード接続用アダプターシステムを実現することができる。
【００３１】
上述したこの発明の目的を達成する為の請求項４記載の発明は、所定の第１の規格に従うカードスロットに、第１の規格とは異なる第２の規格に従うカードを接続するために用いられるカード接続用アダプターであって、第１の規格に従う第１接続部と第２の規格に従う第２接続部を有し、接続される電子機器側において、第１接続部に供給する信号を第１の規格に従った信号から第２の規格に従った信号に切り換えることにより、第１の規格に従うカードスロットに第２の規格に従うカードを接続する構成を有している。
【００３２】
この構成によって、ピン数の少ないカードスロットにおいても、異なる規格のカードに接続が可能なカード接続用アダプターを実現することができる。
【００３３】
上述したこの発明の目的を達成する為の請求項５記載の発明は、所定の第１の規格に従うカードスロットに、第１の規格とは異なる第２の規格に従うカードを接続するために用いられるカード接続用アダプターであって、第１の規格に従う第１接続部と、第２の規格に従う第２接続部に加え、第１の規格に従う第３接続部を有し、接続される電子機器側において第１接続部に供給する信号を、第１の規格に従った信号から第２の規格に従った信号に切り換えることにより、第１の規格に従うカードスロットに第２の規格に従うカードを接続するとともに、第１の規格に従うカードをも接続する構成を有している。
【００３４】
この構成によって、ピン数の少ないカードスロットにおいても、異なる複数の規格のカードに接続を実現することができる。
【００３５】
また、一つのコネクタシステムに対し複数のカードが接続可能なカード接続用アダプターの場合、接続するカードの切換制御を、接続される電子機器側から行うことが可能なカード接続用アダプターを実現することができる。
【００３６】
上述したこの発明の目的を達成する為の請求項６記載の発明は、所定の第１の規格に従うカードスロットに接続されるカードスロットを切り替えるスイッチを備え付けた構造を有している。
【００３７】
この構成によって、接続するカードの切換制御を接続される電子機器側から行うことが可能なカード接続用アダプターを実現することができる。
【００３８】
上述したこの発明の目的を達成する為の請求項７記載の発明は、
所定の第１の規格に従うカードスロットに接続されるカードスロットを切り換えるスイッチを、接続される電子機器側で制御する構造を有している。
【００３９】
この構成によって、接続するカードの切換制御を接続される電子機器側から行うことが可能なカード接続用アダプターを実現することができる。
【００４０】
上述したこの発明の目的を達成する為の請求項８記載の発明は、所定の第１の規格に従うカードスロットに、第１の規格に従った信号線と、第１の規格とは異なる第２の規格に従う信号線を、切り換えて接続することにより、請求項４、又は５のカード接続用アダプターを使用する構成を有している。
【００４１】
この構成によって、ピン数の少ないカードスロットにおいても、異なる規格のカードに接続が可能となるばかりでなく、異なる複数の規格のカードに接続を実現することができる。
【００４２】
また、一つのコネクタシステムに対し複数のカードが接続可能なカード接続用アダプターの場合、接続するカードの切換制御を接続される電子機器側から行うことが可能なカード接続用アダプターシステムを実現することができる。
【００４３】
上述したこの発明の目的を達成する為の請求項９記載の発明は、所定の第１の規格に従うカードスロットに、第１の規格に従った信号線と第１の規格とは異なる第２の規格に従う信号線を切り換えて接続するとともに、接続されるカードを切り換えるスイッチ制御信号を接続する構成を有している。
【００４４】
この構成によって、接続するカードの切換制御を接続される電子機器側から行うことが可能なカード接続用アダプターテムを実現することができる。
【００４５】
上述したこの発明の目的を達成する為の請求項１２記載の発明は、請求項３，８，９，又は１１記載のカードアダプターシステムを搭載し、請求項１，２，４，５，６，７，又は１０記載のカード接続用アダプターに接続することにより、電子機器のソフトウェアおよびデータ等を更新する構成を有している。
【００４６】
この構成によって、前述のカードアダプターとカードアダプターシステムを使用することにより、例えば、デジタル放送用セットトップボックスなどのデジタル家電情報機器において、ソフトウェアアップデート専用のスロットを備え付けることなく、ソフトウェアアップデートを行うシステムを実現することができる。
【００４７】
この明細書において、ＩＣカードとは、メモリーカード、ＣＰＵ及びメモリーチップを内臓するカード、モデム機能または外部機器に対してのインターフェース機能を有するカードを含むものとする。
【００４８】
この明細書において、所定の第１の規格、第２の規格とは、例えばＰＣカードＴｙｐｅＩＩ、ＳＤメモリーカード、マルチメディアカードの規格を含むものとし、第１の規格に従う第１接続部、第２の規格に従う第２接続部、第１の規格に従う第３接続部とは、例えば、ＰＣカード  ＴｙｐｅＩＩ、ＳＤメモリーカードマルチメディアカードの規格に従ったカードスロットを含むものとする。
【００４９】
この明細書において、電子機器とは、デジタル放送用セットトップボックス、デジタル放送用テレビジョン、デジタルビデオレコーダーなどのデジタル家電情報機器を含むものとする。
【００５０】
【発明の実施の形態】
本発明の請求項１に記載の発明は、所定の第１の規格に従うカードスロットに、第１の規格とは異なる第２の規格に従うカードを接続するために用いられるカード接続用アダプターであって、第１の規格に従う第１接続部と、第２の規格に従う第２接続部を有し、第１接続部のスロットにおいて未使用となっているピンを第２接続部に接続することにより、第２の規格に従うカードを接続することを特徴としたものであり、第１接続部のスロットにおいて未使用となっているピンを第２接続部に接続し、第１接続部に接続される電子機器側において、第２の規格に従った信号を第１接続部で未使用となっているピンに接続することにより、ピン数の少ないカード接続用スロットにおいても、異なる規格のカードに接続することが可能になるという作用を有する。
【００５１】
本発明の請求項２に記載の発明は、所定の第１の規格に従うカードスロットに、第１の規格とは異なる第２の規格に従うカードを接続するために用いられるカード接続用アダプターであって、第１の規格に従う第１接続部と、第２の規格に従う第２接続部に加え、第１の規格に従う第３接続部を有し、第１接続部のスロットにおいて未使用となっているピンを第２接続部に接続することにより、同時に第２の規格、第１の規格の双方に従うカードを接続することを特徴としたものであり、第１接続部のスロットにおいて未使用となっているピンを第２接続部に接続し、第１接続部において、使用されているピンを第３接続部に接続し、第１接続部に接続される電子機器側において、第１の規格に従った信号を第１接続部に接続し、第２の規格に従った信号を第１接続部で未使用となっているピンに接続することにより、ピン数の少ないカード接続用スロットにおいても、異なる複数の規格のカードに同時に接続することが可能になるという作用を有する。
【００５２】
本発明の請求項３に記載の発明は、所定の第１の規格に従うカードスロットの未使用となっているピンに、第１の規格とは異なる第２の規格に従う信号線を接続することにより、請求項１、又は２のカード接続用アダプターの使用を実現することを特徴としたものであり、第１の規格に従った信号を第１接続部に接続し、第２の規格に従った信号を第１接続部で未使用となっているピンに接続し、請求項１又は２のカード接続用アダプターを接続することにより、ピン数の少ないカード接続用スロットにおいても、異なる複数の規格のカードへの接続を実現するとともに、一つのコネクタシステムにおいて異なる複数の規格のカードに対して同時に接続することが可能になるという作用を有する。
【００５３】
本発明の請求項４に記載の発明は、所定の第１の規格に従うカードスロットに、第１の規格とは異なる第２の規格に従うカードを接続するために用いられるカード接続用アダプターであって、第１の規格に従う第１接続部と第２の規格に従う第２接続部を有し、接続される電子機器側において、第１接続部に供給する信号を第１の規格に従った信号から第２の規格に従った信号に切り換えることにより、第１の規格に従うカードスロットに第２の規格に従うカードを接続することを実現することを特徴としたものであり、第１接続部のピンを第２接続部に接続し、第１接続部に接続される電子機器側において、第１接続部に接続させる信号を第２の規格に従った信号に切り換えて接続させることによって、ピン数の少ないカード接続用スロットにおいても、異なる規格のカードに接続することが可能になるという作用を有する。
【００５４】
本発明の請求項５に記載の発明は、所定の第１の規格に従うカードスロットに、第１の規格とは異なる第２の規格に従うカードを接続するために用いられるカード接続用アダプターであって、第１の規格に従う第１接続部と、第２の規格に従う第２接続部に加え、第１の規格に従う第３接続部を有し、接続される電子機器側において第１接続部に供給する信号を、第１の規格に従った信号から第２の規格に従った信号に切り換えるとともに、第１接続部に入力された信号を第２接続部と第３接続部のどちらに接続するか切り換え機能を有することにより、第１の規格に従うカードスロットに第２の規格に従うカードを接続するとともに、第１の規格に従うカードをも接続することを特徴としたものであり、接続される電子機器側において第１接続部に供給する信号を、第１の規格から第２の規格に従った信号に切り換えて接続させるとともに、第１接続部に入力された信号を第２接続部と第３接続部のどちらに接続するか切り換えて接続させる機能を有することにより、ピン数の少ないカード接続用スロットにおいても、異なる複数の規格のカードに切り換えて接続することができるとともに、一つのコネクタシステムに対し複数のカードが接続可能なカード接続用アダプターの場合、接続するカードの切換制御を、接続される電子機器側から行うことを可能とするという作用を有する。
【００５５】
本発明の請求項６に記載の発明は、所定の第１の規格に従うカードスロットに、第１の規格に従った信号線と、第１の規格とは異なる第２の規格に従う信号線を、切り換えて接続することにより、請求項４、又は５のカード接続用アダプターの使用を実現することを特徴としたものであり、第１接続部に供給する信号を、第１の規格から第２の規格に従った信号に切り換えて接続させ、請求項４又は５のカード接続用アダプターを接続することにより、ピン数の少ないカードスロットにおいても、異なる規格のカードに接続が可能となるばかりでなく、異なる複数の規格のカードに接続を実現することができ、一つのコネクタシステムに対し複数のカードが接続可能なカード接続用アダプターの場合、接続するカードの切換制御を、接続される電子機器側から行うことが可能となるという作用を有する。
【００５６】
本発明の請求項７に記載の発明は、第１の規格、第２の規格の中には、第１のＩＣカードが包含されることを特徴とするものであって、請求項１，２，４，又は５記載のカード接続用アダプターにＩＣカードを接続させることによって、電子機器側とＩＣカードを接続することが可能になるという作用を有する。
【００５７】
本発明の請求項８に記載の発明は、第１の規格、第２の規格の中には、第１のＩＣカードが包含されることを特徴とするものであって、請求項３，又は６記載のカード接続用アダプターシステムのカードスロットにＩＣカードの規格に従ったカードスロットを使用することによって、ピン数の少ないカードスロットにおいても、異なる複数の規格のカードへの接続を実現することができ、一つのコネクタシステムにおいて異なる複数の規格のカードに対して同時に接続することを可能としたり、接続するカードの切換制御を、接続される電子機器側から行うことが可能にするという作用を有する。
【００５８】
本発明の請求項９に記載の発明は、請求項３，６，又は８記載のカードアダプターシステムを搭載し、請求項１，２，４，５，又は７記載のカード接続用アダプターに接続することにより、電子機器のソフトウェアおよびデータ等を更新することを特徴とするものであって、前述のカードアダプターとカードアダプターシステムを使用することにより、例えば、デジタル放送用セットトップボックスなどのデジタル家電情報機器において、ソフトウェアアップデート専用のスロットを備え付けることなく、ソフトウェアアップデートを行うシステムを実現することができるという作用を有する。
【００５９】
以下、本発明の実施の形態について、図１から図７を用いて説明する。
【００６０】
（実施の形態１）
図２に本発明の実施の形態１におけるカード接続用アダプター２とカード接続用アダプターシステム１のブロック図を示す。この場合のカード接続用アダプターシステム１は、ＣＰＵ５、第１の規格に従ったカードコントローラー６、第２の規格に従ったカードコントローラー７、第１の規格に従ったカードスロット８を装備し、カードコントローラー６より第１の規格に従ったカードの制御信号をカードスロット８に接続し、電源、グランドラインをカードスロット８に接続し、カードスロット８において未使用となっているピン１８に対し、第２の規格に従ったカードの制御信号をカードコントローラー７より接続する構成を有している。
【００６１】
また、この場合のカード接続用アダプター２は、アダプターシステム１のカードスロット８に接続される第１接続部１７、第２の規格に従ったカード３を接続可能な、第２の規格に従ったカードスロット９を装備し、アダプターシステム１において、カードスロット８の未使用となっているピン１８へ接続された第２の規格に従う制御信号、電源、グランドラインを、第１接続部１７よりカードスロット９に接続する構成を有している。
【００６２】
以上のように構成されたカード接続用アダプター２とカード接続用アダプターシステム１について、図２を用いてその動作を説明する。
【００６３】
カード接続用アダプター２の第１接続部１７をカード接続用アダプターシステム１のカードスロット８に接続し、カードスロット９に第２の規格に従ったカード３を接続することにより、第２の規格に従ったカードコントローラー７と第２の規格に従ったカード３が電気的に接続され、カードコントローラー７による第２の規格に従ったカード３の制御を行うものである。
【００６４】
（実施の形態２）
図１に本発明の実施の形態２におけるカード接続用アダプター２とカード接続用アダプターシステム１のブロック図を示す。この場合のカード接続用アダプターシステム１は、ＣＰＵ５、第１の規格に従ったカードコントローラー６、第２の規格に従ったカードコントローラー７、第１の規格に従ったカードスロット８を装備し、カードコントローラー６より第１の規格に従ったカードの制御信号をカードスロット８に接続し、電源、グランドラインをカードスロット８に接続し、カードスロット８において未使用となっているピン１８に対し、第２の規格に従ったカードの制御信号をカードコントローラー７より接続する構成を有している。
【００６５】
また、この場合のカード接続用アダプター２は、アダプターシステム１のカードスロット８に接続される第１接続部１７、第２の規格に従ったカード３を接続可能な、第２の規格に従ったカードスロット９、第１の規格に従ったカード４を接続可能な、第１の規格に従ったカードスロット１０を装備し、アダプターシステム１において、カードスロット８へ接続された第１の規格に従う制御信号、電源、グランドラインを、第１接続部１７よりカードスロット９に接続し、カードスロット８の未使用となっているピン１８へ接続された第２の規格に従う制御信号、電源、グランドラインを、第１接続部１７よりカードスロット９に接続する構成を有している。
【００６６】
以上のように構成されたカード接続用アダプター２とカード接続用アダプターシステム１について、図１を用いてその動作を説明する。
【００６７】
カード接続用アダプター２の第１接続部１７をカード接続用アダプターシステム１のカードスロット８に接続し、カードスロット９に第２の規格に従ったカード３を接続し、カードスロット１０に第１の規格に従ったカード４を接続することにより、第１の規格に従ったカードコントローラー６と第１の規格に従ったカード４、第２の規格に従ったカードコントローラー７と第２の規格に従ったカード３がそれぞれ電気的に接続され、カードコントローラー６、カードコントローラー７により、第１の規格に従ったカード４、第２の規格に従ったカード３の制御を、それぞれ行うことを可能にすることができる。
【００６８】
また、カード３、カード４には、それぞれ個別のカードコントローラーを、それぞれ個別の制御線より接続する構成とすることにより、複数のカードに対する制御を全く独立に行うことができ、カード３、カード４を双方同時に制御を行うものである。
【００６９】
（実施の形態３）
図３に本発明の実施の形態３におけるカード接続用アダプター２とカード接続用アダプターシステム１のブロック図を示す。この場合のカード接続用アダプターシステム１は、ＣＰＵ５、第１の規格に従ったカードコントローラー６、第２の規格に従ったカードコントローラー７、第１の規格に従ったカードスロット８、スイッチ１１を装備し、カードコントローラー６から出力される第１の規格に従ったカードの制御信号と、カードコントローラー７から出力される第２の規格に従ったカードの制御信号を、スイッチ１１にて切り換えてカードスロット８に接続し、電源、グランドラインをカードスロット８に接続する構成を有している。
【００７０】
また、この場合のカード接続用アダプター２は、アダプターシステム１のカードスロット８に接続される第１接続部１７、第２の規格に従ったカード３を接続可能な、第２の規格に従ったカードスロット９を装備し、アダプターシステム１において、カードスロット８へ接続された第２の規格に従う制御信号、電源、グランドラインを、第１接続部１７よりカードスロット９に接続する構成を有している。
【００７１】
以上のように構成されたカード接続用アダプター２とカード接続用アダプターシステム１について、図３を用いてその動作を説明する。
【００７２】
カード接続用アダプター２の第１接続部１７をカード接続用アダプターシステム１のカードスロット８に接続し、カードスロット９に第２の規格に従ったカード３を接続し、アダプターシステム１上で、カードコントローラー７が出力する制御線をカードスロット８へ接続するようにスイッチ１１を切り換えることによって、第２の規格に従ったカードコントローラー７と第２の規格に従ったカード３が電気的に接続され、カードコントローラー７による第２の規格に従ったカード３の制御を行うものである。
【００７３】
（実施の形態４）
図４に本発明の実施の形態４におけるカード接続用アダプター２とカード接続用アダプターシステム１のブロック図を示す。この場合のカード接続用アダプターシステム１は、ＣＰＵ５、第１の規格に従ったカードコントローラー６、第２の規格に従ったカードコントローラー７、第１の規格に従ったカードスロット８、スイッチ１１を装備し、カードコントローラー６から出力される第１の規格に従ったカードの制御信号と、カードコントローラー７から出力される第２の規格に従ったカードの制御信号を、スイッチ１１にて切り換えてカードスロット８に接続し、電源、グランドラインをカードスロット８に接続する構成を有している。
【００７４】
また、この場合のカード接続用アダプター２は、アダプターシステム１のカードスロット８に接続される第１接続部１７、第２の規格に従ったカード３を接続可能な、第２の規格に従ったカードスロット９、第１の規格に従ったカードスロット１０を装備し、アダプターシステム１において、カードスロット８へ接続された制御信号、電源、グランドラインを、第１接続部１７よりカードスロット９とカードスロット１０に接続する構成を有している。
【００７５】
以上のように構成されたカード接続用アダプター２とカード接続用アダプターシステム１について、図４を用いてその動作を説明する。
【００７６】
カード接続用アダプター２の第１接続部１７をカード接続用アダプターシステム１のカードスロット８に接続し、カードスロット９に第２の規格に従ったカード３を接続し、カードスロット１０に第１の規格に従ったカード４を接続し、アダプターシステム１上で、カードスロット８に接続される制御線をスイッチ１１を切り換えて接続することによって、第１の規格に従ったカードコントローラー６と第１の規格に従ったカード１が電気的に接続する場合と、第２の規格に従ったカードコントローラー７と第２の規格に従ったカード３が電気的に接続する場合とをアダプターシステム１側にて選択することが可能となり、第１の規格に従ったカード４と第２の規格に従ったカード３を、アダプターシステム側にて選択して制御を行うものである。
【００７７】
（実施の形態５）
図５に本発明の実施の形態５おけるカード接続用アダプター２とカード接続用アダプターシステム１のブロック図を示す。この場合のカード接続用アダプターシステム１は、ＣＰＵ５、第１の規格に従ったカードコントローラー６、第２の規格に従ったカードコントローラー７、第１の規格に従ったカードスロット８、スイッチ１１を装備し、カードコントローラー６から出力される第１の規格に従ったカードの制御信号と、カードコントローラー７から出力される第２の規格に従ったカードの制御信号を、スイッチ１１にて切り換えてカードスロット８に接続し、電源、グランドラインをカードスロット８に接続する構成を有している。
【００７８】
また、この場合のカード接続用アダプター２は、アダプターシステム１のカードスロット８に接続される第１接続部１７、第２の規格に従ったカード３を接続可能な第２の規格に従ったカードスロット９、第１の規格に従ったカードスロット１０、スイッチ１２を装備し、カードスロット８へ接続された制御信号、電源、グランドラインを、第１接続部１７よりカードスロット９とカードスロット１０に接続する構成を有している。
【００７９】
以上のように構成されたカード接続用アダプター２とカード接続用アダプターシステム１について、図５を用いてその動作を説明する。
【００８０】
カード接続用アダプター２の第１接続部１７をカード接続用アダプターシステム１のカードスロット８に接続し、カードスロット９に第２の規格に従ったカード３を接続し、カードスロット１０に第１の規格に従ったカード４を接続し、アダプターシステム１上で、カードスロット８に接続される制御線をスイッチ１１を切り換えて接続し、アダプター２上で、第１接続部ににカードスロット９、カードスロット１０のどちらを接続するかスイッチ１２にて切り換えることによって、第１の規格に従ったカードコントローラー６と第１の規格に従ったカード４が電気的に接続する場合と、第２の規格に従ったカードコントローラー７と第２の規格に従ったカード３が電気的に接続する場合とを選択することが可能となり、第１の規格に従ったカード４と第２の規格に従ったカード３を、選択して制御を行うものである。
【００８１】
（実施の形態６）
図６に本発明の実施の形態６おけるカード接続用アダプター２とカード接続用アダプターシステム１のブロック図を示す。この場合のカード接続用アダプターシステム１は、ＣＰＵ５、第１の規格に従ったカードコントローラー６、第２の規格に従ったカードコントローラー７、第１の規格に従ったカードスロット８、スイッチ１１、スイッチ切り換え用制御線１６を装備し、カードコントローラー６から出力される第１の規格に従ったカードの制御信号と、カードコントローラー７から出力される第２の規格に従ったカードの制御信号を、スイッチ１１にて切り換えてカードスロット８に接続し、電源、グランドラインをカードスロット８に接続し、スイッチ切り換え用制御線１６をスイッチ１１とカードスロット８に接続する構成を有している。
【００８２】
また、この場合のカード接続用アダプター２は、アダプターシステム１のカードスロット８に接続される第１接続部１７、第２の規格に従ったカード３を接続可能な第２の規格に従ったカードスロット９、第１の規格に従ったカードスロット１０、スイッチ１２を装備し、カードスロット８へ接続された制御信号、電源、グランドラインを、第１接続部１７よりカードスロット９とカードスロット１０に接続し、カードスロット８へ接続されたスイッチ切り換え信号を、第１接続部１７よりスイッチ１２に接続する構成を有している。
【００８３】
以上のように構成されたカード接続用アダプター２とカード接続用アダプターシステム１について、図６を用いてその動作を説明する。
【００８４】
カード接続用アダプター２の第１接続部１７をカード接続用アダプターシステム１のカードスロット８に接続し、カードスロット９に第２の規格に従ったカード３を接続し、カードスロット１０に第１の規格に従ったカード４を接続し、アダプターシステム１上で、カードスロット８に接続される制御線を切り換えるスイッチ１１とアダプター２上で、第１接続部ににカードスロット９、カードスロット１０のどちらを接続するか切り換えるスイッチ１２を、スイッチ切り換え用制御線１６を用いて切り換えることによって、第１の規格に従ったカードコントローラー６と第１の規格に従ったカード４が電気的に接続する場合と、第２の規格に従ったカードコントローラー７と第２の規格に従ったカード３が電気的に接続する場合とを、アダプターシステム側から選択することが可能となり、第１の規格に従ったカード４と第２の規格に従ったカード３を、アダプターシステム側から選択して制御を行うものである。
【００８５】
（実施の形態７）
図７に本発明の実施の形態７におけるソフトウェアアップデートシステム１９のブロック図を示す。この場合のソフトウェアアップデートシステム１９は、ＣＰＵ５、アダプターシステム１、ＣＰＵ用ＲＡＭ１４、プログラム格納用ＲＯＭ１５を装備し、アダプターシステム１を通じ、外部カードより読み出されたデータをＣＰＵ用ＲＡＭ１４に格納し、プログラム格納用ＲＯＭ１５の更新を可能とする構成を有している。
【００８６】
以上のように構成されたカード接続用アダプター２とカード接続用アダプターシステム１について、図７を用いてその動作を説明する。
【００８７】
ソフトウェアアップデートシステム１９のカード接続用アダプターシステム１に、カード接続用アダプター２の第１接続部を接続し、カード接続用アダプター２のカードスロット９にアップデートするソフトウェアあるいはデータを格納しているカード２０を接続することによって、カード２０に格納されたアップデートソフトウェア及びデータをアダプター２、アダプターシステム１を通じて読み出し、ＣＰＵ用ＲＡＭ１４に格納させ、プログラム格納用ＲＯＭ１５を読み出したアップデートデータに更新することにより、アダプターシステム１、アダプター２を使用したソフトウェア及びデータの更新を行うものである。
【００８８】
【発明の効果】
以上のように本発明は、
第１に、ピン数の少ないカードスロットにおいても、異なる規格のカードに接続が可能なカード接続用アダプターを提供する。
【００８９】
第２に、ピン数の少ないカードスロットにおいても、異なる規格のカードに接続が可能なカード接続用アダプターシステムを提供する。
【００９０】
第３に、ピン数の少ないカードスロットにおいても、異なる複数の規格のカードに接続が可能なカード接続用アダプターを提供する。
【００９１】
第４に、ピン数の少ないカードスロットにおいても、異なる複数の規格のカードに接続が可能なカード接続用アダプターシステムを提供する。
【００９２】
第５に、一つのコネクタシステムにおいて、異なる複数の規格のカードに接続する場合、複数のカードに対して同時に接続することを実現するカード接続用アダプターを提供する。
【００９３】
第６に、一つのコネクタシステムにおいて、異なる複数の規格のカードに接続する場合、複数のカードに対して同時に接続することを実現するカード接続用アダプターシステムを提供する。
【００９４】
第７に、一つのコネクタシステムに対し複数のカードが接続可能なカード接続用アダプターの場合、接続するカードの切換制御を、接続される電子機器側から行うことができるカード接続用アダプターを提供する。
【００９５】
第８に、一つのコネクタシステムに対し複数のカードが接続可能なカード接続用アダプターの場合、接続するカードの切換制御を、接続される電子機器側から行うことができるカード接続用アダプターシステムを提供する。
【００９６】
第９に、前述のカードアダプターとカードアダプターシステムを使用することにより、例えば、デジタル放送用セットトップボックスなどのデジタル家電情報機器において、ソフトウェアアップデート専用のスロットを備え付けることなく、ソフトウェアアップデートを行うシステムを提供するという優れた効果が得られる。
【図面の簡単な説明】
【図１】本発明の実施の形態２におけるカード接続用アダプターとカード接続用アダプターシステムのブロック図
【図２】本発明の実施の形態１におけるカード接続用アダプターとカード接続用アダプターシステムのブロック図
【図３】本発明の実施の形態３におけるカード接続用アダプターとカード接続用アダプターシステムのブロック図
【図４】本発明の実施の形態４におけるカード接続用アダプターとカード接続用アダプターシステムのブロック図
【図５】本発明の実施の形態５におけるカード接続用アダプターとカード接続用アダプターシステムのブロック図
【図６】本発明の実施の形態６におけるカード接続用アダプターとカード接続用アダプターシステムのブロック図
【図７】本発明の実施の形態７におけるソフトウェアアップデートシステムのブロック図
【符号の説明】
１  カード接続用アダプターシステム
２  カード接続用アダプター
３  第２の規格に従ったカード
４  第１の規格に従ったカード
５  ＣＰＵ
６  第１の規格に従ったカードコントローラー
７  第２の規格に従ったカードコントローラー
８  第１の規格に従ったカードスロット
９  第２の規格に従ったカードスロット
１０  第１の規格に従ったカードスロット
１１  制御線切り換え用スイッチ
１２  制御線切り換え用スイッチ
１３  アップデート用ソフトウェア及びデータ格納用カード
１４  ＣＰＵ用ＲＡＭ
１５  ソフトウェア及びデータ格納用ＲＯＭ
１６  スイッチ切換用制御線
１７  第１接続部
１８  未使用となっているピン
１９  ソフトウェアアップデートシステム
２０  第１の規格に従ったカードの制御信号
２１  第２の規格に従ったカードの制御信号
【図１】
2004310253.tif 000003
【図２】
2004310253.tif 000004
【図３】
2004310253.tif 000005
【図４】
2004310253.tif 000006
【図５】
2004310253.tif 000007
【図６】
2004310253.tif 000008
【図７】
2004310253.tif 000009